(57)【要約】【課題】書類等を挟み止めする機能に加えて、計算機能も有して、極めて有用性が高いクリップを提供する。【解決手段】クリップ本体の一部に電卓が設けられる。クリップ本体を構成する一方の板状部材がそのまま電卓として形成される。すなわち、一方の板状部材にはＩＣチップが内蔵されると共に、表面上にテンキー及び計算に必要な各種ファンクションボタンが配置され、かつ、ディスプレイ表示部が設けられる。クリップ本体を構成する他方の板状部材の裏面側には磁石が取り付けられる。クリップ本体には形象物のデザインを施すことができる。【選択図】　　　　図１
0003097157.tif 000002
【実用新案登録請求の範囲】
【請求項１】
クリップ本体の一部に電卓が設けられ、上記クリップ本体は、対面するように配置された２枚の板状部材の一端がバネにより付勢されて閉じるように構成され、その一方の板状部材がそのまま上記電卓として形成されていることを特徴とするクリップ。
【請求項２】
クリップ本体を形成する一方の板状部材にはＩＣチップが内蔵されると共に、上記板状部材の表面上にはテンキー及び計算に必要な各種ファンクションボタンが配置されると共にディスプレイ表示部が設けられていることを特徴とする請求項１記載のクリップ。
【請求項３】
上記クリップ本体を構成する他方の板状部材の裏面側に磁石が取り付けられていることを特徴とする請求項１又は２記載のクリップ。
【請求項４】
上記クリップ本体に形象物のデザインが施されていることを特徴とする請求項１、２又は３記載のクリップ。
【考案の詳細な説明】
【０００１】
【考案の属する技術分野】
本考案は、クリップに関する。
【０００２】
【従来の技術】
従来のクリップは、書類等を挟み止めする機能だけを、すなわち、単一の機能を有しているにすぎなかった。
【０００３】
ところで、例えば領収書等をクリップで挟んでファイルしている場合に、それら領収書の総額を出したい場合がある。このような場合、従来は、電卓を机の引出し等から取り出して使用するしかなく、甚だ不便であった。
【０００４】
【考案が解決しようとする課題】
そこで本考案は、書類等を挟み止めする機能に加えて、計算機能も有して、極めて有用性が高いクリップの提供を課題とする。
【０００５】
【課題を解決するための手段】
上記課題を解決するために、本考案のクリップは、クリップ本体の一部に電卓が設けられ、上記クリップ本体は、対面するように配置された２枚の板状部材の一端がバネにより付勢されて閉じるように構成され、その一方の板状部材がそのまま上記電卓として形成されていることを特徴とするものである。
【０００６】
また、本考案のクリップは、クリップ本体を形成する一方の板状部材にＩＣチップが内蔵されると共に、上記板状部材の表面上にはテンキー及び計算に必要な各種ファンクションボタンが配置されると共にディスプレイ表示部が設けられているものとすることができる。
【０００７】
また、本考案のクリップは、クリップ本体を構成する他方の板状部材の裏面側に磁石が取り付けられているものとすることができる。
【０００８】
また、本考案のクリップでは、クリップ本体の形状が自由であり、例えば後述する実施形態のように方形状に形成することもできるが、クリップ本体に形象物のデザインが施されているものとすることもできる。
【０００９】
【考案の実施の形態】
以下、添付した図面を用いて本考案の実施の形態について説明する。まず、図示した本実施の形態に係るクリップ１は、図１に示すように、クリップ本体２の一部に電卓３が設けられ、上記クリップ本体２は、対面するように配置された２枚の板状部材４，５の一端が図４に示すようにバネ６により付勢されて閉じるように構成され、その一方の板状部材４がそのまま上記電卓３として形成されている。
そして、クリップ本体２を形成する一方の板状部材４にはＩＣチップが内蔵されると共に、上記板状部材４の表面上にはテンキー２３及び計算に必要な各種ファンクションボタン１８が配置されると共にディスプレイ表示部１９が設けられている。
また、図２に示すように、上記クリップ本体２を構成する他方の板状部材５の裏面側に磁石７が取り付けられている。
また、本実施の形態に係る上記クリップ本体２は、図１に示すように方形状に形成されている。しかしながら、図は省略するが、上記クリップ本体２に形象物のデザインが施された実施の形態も可能である。
【００１０】
上記クリップ本体２は、対面するように配置された２枚の板状部材４，５と、それらの間に介装される１つのバネ６により構成されている。
【００１１】
上記２枚の板状部材４，５は、内面部における長さ方向の中心部から少し一端寄りの箇所を軸８で回動自在に連結されている。なお、上記２枚の板状部材４，５には、内面部における幅方向の両端箇所にそれぞれ半円状の軸止片９，１０，１１，１２が突設され、それら軸止片９，１０，１１，１２の中心孔部に上記軸８の両端部が挿入されている。
【００１２】
上記バネ６は、図４に示すように、コイル部１３の両端に棒状部１４，１５が延設された形状を有し、そのコイル部１３が上記軸８の外周部に装着され、両端の棒状部１４，１５はそれぞれ上記２枚の板状部材４，５の内面部に係止されている。
【００１３】
上記２枚の板状部材４，５は、上記バネ６により、図３に示すように、その一端が閉合するとともに他端が開離するように付勢されている。すなわち、閉合する一端側の内面部の間に書類等を挟んで保持することができる。また、反対側の端部はツマミ部２１，２２となっていて、そのツマミ部２１，２２を指で摘んで押圧すると、書類等を挟んでいる一端側を開くことができる。
【００１４】
なお、上記２枚の板状部材４，５における閉合する一端側の内面部には、図３に示すように、滑り止めとして凹凸部１６，１７が形成されている。
【００１５】
本実施の形態に係る上記２枚の板状部材４，５はプラスチックにより方形状に形成されている。しかしながら、それら２枚の板状部材４，５に形象物のデザインを施された実施形態も可能である。その形象物には果物、動物、植物、人形、ロボット等の全ての形状を有する物品が含まれ、かつ、キャラクター等の創作物も含まれるものとする。
【００１６】
図１に示すように、上記２枚の板状部材４，５のうち、表面側の一方の板状部材４はそのまま電卓３として形成されている。すなわち、一方の板状部材４は中空に形成されて、その中空部に制御回路及びメモリ回路等を形成したＩＣチップ（図は省略）が内蔵されるとともに、上記板状部材４の表面上にテンキー２３及び計算に必要な各種ファンクションボタン１８、例えば、＋、−、×、÷、＝、√、％、ＯＮ、ＣＥ等のファンクションボタンが設けられ、さらに、液晶を用いたディスプレイ表示部１９も設けられている。
【００１７】
また、図２に示すように、上記２枚の板状部材４，５のうち、裏側の他方の板状部材５には、その裏面側に磁石７が取り付けられている。
【００１８】
また、同じく図２に示すように、裏側の他方の板状部材５における開離する側の一端にはフック等の掛止孔２０が形成されている。
【００１９】
【作用】
クリップ本体２は、その２枚の板状部材４，５の間に書類等を挟んで保持することができる。その２枚の板状部材４，５は内面部に凹凸部１６，１７が形成されていて、その凹凸部１６，１７は滑り止め作用を有するので、挟んだ書類等は脱落しにくい。また、表面側の板状部材４には電卓３が形成されているので、それを用いてすぐに計算を行なうことができる。また、上記２枚の板状部材４，５のうち、裏側の板状部材５の裏面側には磁石７が取り付けられているので、その磁石７をスチール製等の壁などに吸着させて固定することができる。また、壁などに取り付けられたフック等を上記掛止孔２０に挿入させれば、クリップ本体２を吊り下げ状態にして支持することができる。
【００２０】
【考案の効果】
請求項１記載の本考案のクリップは、クリップ本体の一部に電卓が設けられているので、計算したい場合に、例えば領収書等をクリップ本体により挟んでファイルしていて、その総額を出したい場合などに、即座に計算できるという利便性がある。したがって、従来のように、電卓を机の引出し等から取り出して使用するという煩瑣がない。
また、上記クリップ本体を構成する２枚の板状部材のうちの１枚がそのまま上記電卓として形成されているので、クリップ本体に別個に形成された電卓を接合するような煩瑣がなく、製造工程が少ないというメリットがある。また、クリップ本体に別個に形成された電卓を接合すると、外観も不体裁になりやすいが、本考案の場合は、外観もシンプルですっきりする。
【００２１】
また、請求項２記載の本考案のクリップは、クリップ本体を形成する一方の板状部材にＩＣチップを内蔵すると共に、その板状部材の表面上にテンキー及び計算に必要な各種ファンクションボタンを配置すると共にディスプレイ表示部を設けることによって、その板状部材を容易に電卓として形成することができる。
【００２２】
また、請求項３記載の本考案のクリップは、上記クリップ本体における他方の板状部材の裏面側に磁石が取り付けられているので、例えばスチール製の壁などに吸着させて固定できるというメリットがある。
【００２３】
また、請求項４記載の本考案のクリップは、上記クリップ本体に形象物のデザインが施されることにより、視覚的な興趣が増大して、消費者の興味を惹き付けやすくなる。
【図面の簡単な説明】
【図１】
表側の斜視図である。
【図２】
裏側の斜視図である。
【図３】
側面図である。
【図４】
図１のＡ−Ｂ線矢視図である。
【符号の説明】
１　クリップ
２　クリップ本体
３　電卓
４　板状部材
５　板状部材
６　バネ
７　磁石
８　軸
９　軸止片
１０　軸止片
１１　軸止片
１２　軸止片
１３　コイル部
１４　棒状部
１５　棒状部
１６　凹凸部
１７　凹凸部
１８　ファンクションボタン
１９　ディスプレイ表示部
２０　掛止孔
２１　ツマミ部
２２　ツマミ部
２３　テンキー
【図１】
0003097157.tif 000003
【図２】
0003097157.tif 000004
【図３】
0003097157.tif 000005
【図４】
0003097157.tif 000006